(57)【要約】【課題】従来とほぼ同様の強度を確保することができると共に著しくコストアップになることはなく、仮囲いの適所な位置のパネル体から適当な大きさの窓を介して透視し得るようにした仮囲い構造とそのような仮囲い構造に最適な仮囲い用パネル体を提供すること。【解決手段】建設現場等の仮囲いに使用される多数のパネル体のうち、いずれかのパネル体をパネル本体と該パネル本体の裏面側に張設される透明板とで構成すると共にパネル本体には所要高さ位置に覗き窓を形成して裏面側の前記透明板を介して工事現場の内部を透視し得る窓付きパネル体に構成する。【選択図】図１
0003107775.tif 000002
【実用新案登録請求の範囲】
【請求項１】
建設現場等の仮囲いに使用される多数のパネル体のうち、いずれかのパネル体をパネル本体と該パネル本体の裏面側に張設される透明板とで構成すると共にパネル本体には所要高さ位置に覗き窓を形成して裏面側の前記透明板を介して工事現場の内部を透視し得る窓付きパネル体に構成したことを特徴とする仮囲い用パネル体。
【請求項２】
建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて複数の覗き窓を形成し、各覗き窓から裏面側の前記透明板を介して工事現場の内部を透視し得る窓付きパネル体に構成したことを特徴とする仮囲い用パネル体。
【請求項３】
建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の覗き窓を形成し、各覗き窓から裏面側の前記透明板を介して工事現場の内部を透視し得る窓付きパネル体に構成したことを特徴とする仮囲い用パネル体。
【請求項４】
建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の覗き窓をジグザグに位置をずらして形成し、各覗き窓から裏面側の前記透明板を介して工事現場の内部を透視し得る窓付きパネル体に構成したことを特徴とする仮囲い用パネル体。
【請求項５】
建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の楕円状又は円形の覗き窓をジグザグに位置をずらして形成し、該パネル本体の表面側には、各覗き窓の外縁に接するようにした曲線による縦線模様を表示し、各覗き窓から裏面側の前記透明板を介して工事現場の内部を透視し得る窓付きパネル体に構成したことを特徴とする仮囲い用パネル体。
【請求項６】
請求項１〜５のいずれかに記載の仮囲い用パネル体を道路側等の適宜箇所に設置したことを特徴とする仮囲い構造。
【考案の詳細な説明】
【技術分野】
【０００１】
本考案は、建設現場等の仮囲い用パネル体及び該パネル体を使用した仮囲い構造に係り、多数設置されるパネル体のうち、一部の窓付きパネル体に設けた覗き窓から建設現場内部を透視し得るようにしたものに関する。
【背景技術】
【０００２】
従来、建設現場等への工事関係者以外の者の立ち入りを防止するための仮囲いは、幅３０〜５０ｃｍ、長さ３ｍ程度の一般的な等の多数のパネル体を側縁部のラップ部で重ね合わせながら並列的に立設して構築される。
【０００３】
従来の仮囲いは、建設現場等の内部が外部から見えないように隠蔽する意味合いもあることから、単に白色等のパネル体を並列的に設置したものであって、概して殺風景な景観を呈している。そこで、各パネル体の表面を周囲の環境とマッチするように工夫することが行われている。
【０００４】
そのための一例として、パネル体の表面に絵や広告を描くことが提案されたり（特許文献１）、パネル体に窓部を設けて該窓部に文字、記号等を描いた嵌め込み板を交換自在に配置することが提案され（特許文献２）、あるいは、居住中の建物等を囲う仮設用養生部材においては、該養生部材に開口部を設けて該開口部周縁の取付部材には該開口部を閉じて外部へのみの視覚を確保するシート材を取り付け、仮囲いの圧迫感を低減するようにしたもの等が提案されている（特許文献３）。
【特許文献１】実公平６−２８６１５号公報
【特許文献２】特開２００１−３０３８０２号公報
【特許文献３】特開平６−１０８６６７号公報
【考案の開示】
【考案が解決しようとする課題】
【０００５】
従来の仮囲いにあっては、工事現場等の内部を外部から見えないように遮断する形式のものであり、特許文献１〜３に示すものにおいても、基本的には仮囲いの殺風景感を低減するだけのものである。
【０００６】
ところが、近時においては、むしろ積極的に工事現場等を外部から見えるように視覚的に開放し、工事の内容、工事現場の状況、工事の進捗状態等が通行人から見えるようにして、工事内容等を理解してもらうべきであり、一方、工事関係者等においても、外部から常時現場が見られる状況であると、工事現場を見苦しい状態で放置することはできず、整理整頓等に気を配るであろう、という発想がある。
【０００７】
前記のような発想に基づけば、全てのパネル体を透明改良型にしたり透明なパネル体を多数枚使用することも考えられるが、これではパネル体としての強度を確保することができないだけでなく、コスト的に問題がある。
【０００８】
一方、人間の覗き見心理からすれば、工事現場をどこからでも透視し得るのでは興味がわかない、という点もあることから、仮囲いの適所な位置のパネル体から適当な大きさの窓を介して透視し得るようにした仮囲い構造やそれに適した仮囲い用パネル体が要請される。
【０００９】
本考案は、前記のような要請に鑑み、従来とほぼ同様の強度を確保することができると共に著しくコストアップになることはなく、仮囲いの適所な位置のパネル体から適当な大きさの窓を介して透視し得るようにした仮囲い構造と、そのような仮囲い構造に最適な仮囲い用パネル体を提供することを目的とする。
【課題を解決するための手段】
【００１０】
請求項１に係る考案の仮囲い用パネル体は、建設現場等の仮囲いに使用される多数のパネル体のうち、いずれかのパネル体をパネル本体と該パネル本体の裏面側に張設される透明板とで構成すると共にパネル本体には所要高さ位置に覗き窓を形成して裏面側の前記透明板を介して工事現場の内部を透視し得る窓付きパネル体に構成したことを特徴とする。
【００１１】
請求項２に係る考案の仮囲い用パネル体は、建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて複数の覗き窓を形成し、各覗き窓から裏面側の前記透明板を介して工事現場の内部を透視し得る窓付きパネル体に構成したことを特徴とする。
【００１２】
請求項３に係る考案の仮囲い用パネル体は、建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の覗き窓を形成し、各覗き窓から裏面側の前記透明板を介して工事現場の内部を透視し得る窓付きパネル体に構成したことを特徴とする。
【００１３】
請求項４に係る考案の仮囲い用パネル体は、建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の覗き窓をジグザグに位置をずらして形成し、各覗き窓から裏面側の前記透明板を介して工事現場の内部を透視し得る窓付きパネル体に構成したことを特徴とする。
【００１４】
請求項５に係る考案の仮囲い用パネル体は、建設現場等の仮囲いに使用される多数のパネル体のうち、いずれかのパネル体をパネル本体と該パネル本体の裏面側に張設される透明板とで構成すると共にパネル本体には所要高さ位置から下方に所定間隔をおいて下方に至るに従って小さくなるようにした複数の楕円状又は円形の覗き窓をジグザグに位置をずらして形成し、該パネル本体の表面側には、各覗き窓の外縁に接するようにした曲線による縦線模様を表示し、各覗き窓から裏面側の前記透明板を介して工事現場の内部を透視し得る窓付きパネル体に構成したことを特徴とする。
【００１５】
請求項６に係る考案の仮囲い構造は、請求項１〜５のいずれかに記載の仮囲い用パネル体を道路側等の適宜箇所に設置したことを特徴とする。
【考案の効果】
【００１６】
請求項１に係る考案の仮囲い用パネル体によれば、建設現場等の仮囲いに使用される多数のパネル体のうち、いずれかのパネル体をパネル本体と該パネル本体の裏面側に張設される透明板とで構成すると共にパネル本体には所要高さ位置に覗き窓を形成して裏面側の前記透明板を介して工事現場の内部を透視し得る窓付きパネル体に構成したものであるから、通行人は仮囲いの、例えば、道路側に設置された窓付きパネル体の覗き窓から工事現場を透視することができ、工事内容や工事の進捗状況等を見ることができる。
【００１７】
前記パネル本体は従来の仮囲い用のパネル体を加工して作製することができるから、強度が低下したり大幅なコストアップを招くことはない。
【００１８】
請求項２に係る考案の仮囲い用パネル体によれば、パネル本体には所要高さ位置から下方に所定間隔をおいて複数の覗き窓を形成し、各覗き窓から裏面側の前記透明板を介して工事現場の内部を透視し得る窓付きパネル体に構成されているから、背丈に応じた覗き窓から内部を見ることができると共に、大人だけでなく子供も覗き見ることができる。
【００１９】
請求項３に係る考案の仮囲い用パネル体によれば、パネル本体には所要高さ位置から下方に所定間隔をおいて下方に至るに従って小さくなるようにした複数の覗き窓が形成されているから、さほど広い面積を必要としない子供用の覗き窓にも対応することができると共に、覗き窓を複数個形成することによるパネル本体の強度の低下を防止することができる。
【００２０】
請求項４に係る考案の仮囲い用パネル体によれば、パネル本体には所要高さ位置から下方に所定間隔をおいて下方に至るに従って小さくなるようにした複数の覗き窓をジグザグに位置をずらして形成しているから、例えば、大人と子供が重ならない位置から覗き見ることができる。
【００２１】
請求項５に係る考案の仮囲い用パネル体によれば、パネル本体の表面側には、前記各覗き窓の外縁に接するようにした曲線による縦線模様を表示してあるから、該縦線模様を枝に見立てて前記複数の覗き窓を木の葉のように有機的に配置表現することができ、殺風景感を低減することができる。
【００２２】
請求項６に係る考案の仮囲い構造によれば、建設現場等の仮囲いとして並設されている多数のパネル体のうち、一部のパネル体は窓付きパネル体となっており、所要高さ位置に覗き窓が形成されていて裏面側の透明板を介して工事現場の内部を透視し得るから、通行人は仮囲いの通路側に設置された窓付きパネル体の覗き窓から工事現場を透視することができ、工事内容や工事の進捗状況等を見ることができる。
【００２３】
覗き窓が設けられる窓付きパネル体のパネル本体部は従来の仮囲い用パネル体を加工してそのまま使用することができるから、強度が低下したり大幅なコストアップを招くことはない。
【考案を実施するための最良の形態】
【００２４】
建設現場等の仮囲いに使用される多数のパネル体のうち、いずれかのパネル体を窓付きパネル体とし、そのパネル本体には所要高さ位置に１個又は複数個の覗き窓を形成し、その裏面側に透明樹脂板等の透明板を張設する。多数のパネル体を並設して仮囲いを構築するに際し、前記窓付きパネル体を、例えば、道路側等の適宜箇所に組み入れることにより、一部に窓付きパネル体を配置した仮囲いを構築する。通行人は仮囲いの窓付きパネル体の覗き窓から工事現場を透視することができ、工事内容や工事の進捗状況等を見ることができる。
【実施例１】
【００２５】
図は本考案に係る仮囲い用パネル体及び仮囲い構造の１実施例を示し、図１は一般的なの一般的なパネル体による仮囲い構造に窓付きパネル体を組み込む場合の斜視図、図２は表面が平坦になるように工夫された改良型パネル体による仮囲い構造に窓付きパネル体を組み込む場合の斜視図、図３は窓付きパネル体の正面図、図４は窓付きパネル体の背面図である。
【００２６】
図において、１０は建設現場等の仮囲いであって、多数のパネル体１１を並列的に順次連結して立設することにより構成される。これらのパネル体１１としては、図１に示すような一般的なの一般的なパネル体１１ａや図２に示すように表面が平坦になるように工夫された改良型パネル体１１ｂ等があり、一般的なパネル体１１ａにあっては、左右両側縁に波形部１２ａが形成され、改良型パネル体１１ｂにあっては、左右両側縁にほぼコ字状の屈曲部１２ｂが形成されている。なお、図中、１３は仮囲いの骨組み枠としての連結バーであり、この連結バー１３に各パネル体を固定金具（図示しない）で固定する。
【００２７】
前記のようにして立設される多数のパネル体のうち、いずれかのパネル体を窓付きパネル体１として構成する。この窓付きパネル体１はパネル本体２とその裏面側に張設される透明樹脂板等の透明板４とで構成され、パネル本体２には所要高さ位置に１個又は複数個の覗き窓３が形成されると共にその裏面側に前記透明板４が張設される。
【００２８】
パネル本体２は、図２に示す既存の改良型パネル体１１ｂとほぼ同様の形状及び構造をなしていて、左右両側縁には隣接するパネル体１１ｂの側縁部と係合させるためのほぼコ字状の屈曲部２ａが形成され、更に一方の側縁部（図示例では右側縁部）には隣接するパネル体１１ａの左側縁部やパネル体１１ｂの屈曲部１２ａと重合させるラップ部２ｂが形成されている。また、前記屈曲部２ａを形成することによりパネル部の強度が高められている。なお、このラップ部２ｂが左側縁に形成されているものもある。
【００２９】
前記のようなパネル本体２に前記覗き窓３が１個又は複数個形成される。実施例では、図に示すように、ほぼ大人の目線位置に比較的大きな楕円状の覗き窓３ａを形成し、更に所定間隔をおいて下方に至るに従って小さくなるようにした５個の楕円状の覗き窓３ｂ、３ｃ、３ｄ、３ｅをジグザグに位置をずらして形成してある。
【００３０】
このパネル本体２の裏面側には前記各覗き窓３ａ〜３ｅに対応するように透明板４が取り付けられる。透明板４は実施例ではポリカーボネート板であり、これを両面粘着テープ４ａで張設している。
【００３１】
前記パネル体２の表面側には、各覗き窓３ａ〜３ｅを縁取りするように楕円リング状をなした緑色等の縁取りシール５が貼設され、更にその外縁に接するようにした曲線による縦線模様６を表示してある。この縦線模様６もカラーシールを貼設することにより表示している。図において、７は施工主等を表示するためのマーク貼設部である。
【００３２】
前記のようにして構成された窓付きパネル１は、多数のパネル体１１を並設して仮囲い１０を構築するに際し、前記窓付きパネル体１を所望箇所、例えば、道路側等に組み入れて配置することにより、一部に覗き窓３を有する仮囲い１０を構築する。通行人は仮囲い１０の窓付きパネル体１の覗き窓３から工事現場を透視することができ、工事内容や工事の進捗状況等を見ることができる。
【産業上の利用可能性】
【００３３】
前記のような構成の仮囲い用パネル体は、他の用途の囲い塀にも適用することができる。
【図面の簡単な説明】
【００３４】
【図１】一般的なパネル体による仮囲い構造に窓付きパネル体を組み込む場合の斜視図である。
【図２】改良型パネル体による仮囲い構造に窓付きパネル体を組み込む場合の斜視図である。
【図３】窓付きパネル体の正面図である。
【図４】窓付きパネル体の背面図である。
【符号の説明】
【００３５】
１    窓付きパネル体
２    パネル本体
２ａ  屈曲部
２ｂ  ラップ部
３    覗き窓
４    透明板
５    縁取りシール
６    縦線模様
７    マーク貼設部
【図１】
0003107775.tif 000003
【図２】
0003107775.tif 000004
【図３】
0003107775.tif 000005
【図４】
0003107775.tif 000006